(57)【要約】      （修正有）【課題】簡易かつコンパクトに格納されるとともに、簡易に使用可能状態を構築でき、帰宅困難者に安心した休息を与える緊急時休息用セットを提供する。【解決手段】テント１０とエアーマット３０と空気枕４０を単一の格納手段に格納してなる緊急時休息用セットであって、テントは上面シート１１、底面シート、正面シート１３及び背面シートの各シートが、それらが纏わり着いた各環状の弾性ワイヤ芯を互いに重ね合せるように折り畳まれ、それらの各弾性ワイヤ芯を他の弾性ワイヤ芯に重ね合せたまま折り曲げて互いに重なり合う３つの円環部に折り込み、この折り込み状態で収納袋に収納されて格納手段に格納される。【選択図】図２
0003189888.tif 000002
【実用新案登録請求の範囲】
【請求項１】
テントとエアーマットと空気枕を単一の格納手段に格納してなる緊急時休息用セットであって、
テントは、
上面シート、底面シート、正面シート及び背面シートのそれぞれが、左右２つの円弧状外縁部を２つの直線状外縁部でつないだ長円状外縁部を有するとともに、各シートの相接する直線状外縁部同士を接合され、
上面シート、底面シート、正面シート及び背面シートの各シートの長円状外縁部のそれぞれが４本の環状の弾性ワイヤ芯のそれぞれに纏わり着けられて当該シートを当該環状の弾性ワイヤ芯の弾発力で平面状に突っ張り形成するとともに、それらの４つのシートにより横長角胴部を形成し、
左側面シートの四角状外縁部が上面シート、底面シート、正面シート及び背面シートの各シートの左側の円弧状外縁部に取着されるとともに、右側面シートの四角状外縁部が上面シート、底面シート、正面シート及び背面シートの各シートの右側の円弧状外縁部に取着され、前記横長角胴部の左右両端部を閉鎖し、
正面シートに開閉自在な出入口を設けてなり、
上面シート、底面シート、正面シート及び背面シートの各シートは、それらが纏わり着いた各環状の弾性ワイヤ芯を互いに重ね合せるように折り畳まれ、それらの各弾性ワイヤ芯を他の弾性ワイヤ芯に重ね合せたまま折り曲げて互いに重なり合う３つの円環部に折り込み、この折り込み状態で収納袋に収納されて前記格納手段に格納され、
エアーマットは、
テントの内部の底面シート上に敷設されて用いられるとともに、丸められた収納状態で前記格納手段に格納され、
空気枕は、
テントの内部に敷設されたエアーマット上に配置されて用いられるともに、空気を抜いた収納状態で前記格納手段に格納される緊急時休息用セット。
【考案の詳細な説明】
【技術分野】
【０００１】
本考案は緊急時休息用セットに関する。
【背景技術】
【０００２】
災害等の発生時には、交通、輸送機関のマヒによって帰宅できない多数の帰宅困難者の発生が予測される。帰宅困難者は、学校、職場、駅等に避難するものになり、それらの避難所での安心した休息が望まれる。
【０００３】
特許文献１では、帰宅困難者の帰宅を支援する帰宅支援装置が提案されている。
特許文献２では、緊急時に使用される折り畳みテントが提案されている。
【先行技術文献】
【特許文献】
【０００４】
【特許文献１】特開2011-192062号公報
【特許文献２】実登3010107号公報
【考案の概要】
【考案が解決しようとする課題】
【０００５】
特許文献１が開示する帰宅支援装置は、災害発生時に、状況に応じて支援品と支援拠点を帰宅困難者に割り当てることで、帰宅困難者に支援品を的確に支給するものであり、避難所での安心した休息を確保するテント等に関するところがない。
【０００６】
特許文献２が開示する折り畳みテントは、例えば４本の側面用環状ワイヤ骨格と、これらに纏わり着いたシートと、頭頂部を形成する２本のワイヤとから構成され、縦長の四角錐をなすように連結された側面シートを形成するものである。
【０００７】
ところが、特許文献２に記載の折り畳みテントは、縦長四角錐状であって、使用者がテントの内部で横に寝ることができないし、エアーマットや空気枕を付帯するところがなく、安心した休息を確保することの考慮がない。
【０００８】
また、特許文献２に記載の折り畳みテントは、折り畳まれたテントを四角錐になるように開き、テント内側の登頂部に２本のワイヤを挿入して頭頂部を形成するものであって、組立てに一定の困難を伴う。次に、テントを折り畳むときには、テント内側の２本のワイヤを取外した後、４つの側面シートを重ねて平面になるように折り畳んで収納するものであり、簡易かつコンパクトに収納することができない。
【０００９】
本考案の課題は、簡易かつコンパクトに格納されるとともに、簡易に使用可能状態を構築でき、帰宅困難者に安心した休息を与える緊急時休息用セットを提供することにある。
【課題を解決するための手段】
【００１０】
請求項１に係る考案は、テントとエアーマットと空気枕を単一の格納手段に格納してなる緊急時休息用セットであって、テントは、上面シート、底面シート、正面シート及び背面シートのそれぞれが、左右２つの円弧状外縁部を２つの直線状外縁部でつないだ長円状外縁部を有するとともに、各シートの相接する直線状外縁部同士を接合され、上面シート、底面シート、正面シート及び背面シートの各シートの長円状外縁部のそれぞれが４本の環状の弾性ワイヤ芯のそれぞれに纏わり着けられて当該シートを当該環状の弾性ワイヤ芯の弾発力で平面状に突っ張り形成するとともに、それらの４つのシートにより横長角胴部を形成し、左側面シートの四角状外縁部が上面シート、底面シート、正面シート及び背面シートの各シートの左側の円弧状外縁部に取着されるとともに、右側面シートの四角状外縁部が上面シート、底面シート、正面シート及び背面シートの各シートの右側の円弧状外縁部に取着され、前記横長角胴部の左右両端部を閉鎖し、正面シートに開閉自在な出入口を設けてなり、上面シート、底面シート、正面シート及び背面シートの各シートは、それらが纏わり着いた各環状の弾性ワイヤ芯を互いに重ね合せるように折り畳まれ、それらの各弾性ワイヤ芯を他の弾性ワイヤ芯に重ね合せたまま折り曲げて互いに重なり合う３つの円環部に折り込み、この折り込み状態で収納袋に収納されて前記格納手段に格納され、エアーマットは、テントの内部の底面シート上に敷設されて用いられるとともに、丸められた収納状態で前記格納手段に格納され、空気枕は、テントの内部に敷設されたエアーマット上に配置されて用いられるともに、空気を抜いた収納状態で前記格納手段に格納されるようにしたものである。
【考案の効果】
【００１１】
（請求項１）
(a)テントとエアーマットと空気枕が単一の格納手段に格納される。この格納時に、テントは、上面シート、底面シート、正面シート及び背面シートの各シートが纏わり着いた各環状の弾性ワイヤ芯を互いに重ね合せ、かつそれらの各弾性ワイヤ芯を他の弾性ワイヤ芯に重ね合せたまま折り曲げた３つの円環部の折り込み状態を維持されて収納袋に収納され、この収納袋に収納された形態での格納手段に格納される。また、エアーマットは丸められた収納状態で、空気枕は空気を抜いた収納状態で、格納手段に格納される。従って、テントとエアーマットと空気枕を簡単かつコンパクトに格納できる。
【００１２】
(b)使用時に、テントは、収納袋から取り出されると同時に、上面シート、底面シート、正面シート及び背面シートの各シートが纏わり着いた各環状の弾性ワイヤ芯が、自らの弾性復元力によって、３つの円環部の折り込み状態を解消するとともに、各シートをそれらの相接する直線状外縁部同士が接合された状態下で平面状をなすように突っ張り形成し、収納袋内にあった収納状態からはじくように広がった横長角胴状に展開される。また、エアーマットは丸められた収納状態から広げられるとともにクッション性を帯び、空気枕は空気を吹き込まれ、それぞれ直ちに使用可能状態になってテント内に設けられる。従って、テントとエアーマットと空気枕の使用可能状態を簡易に構築できる。
【００１３】
(c)使用時に、テントは、横長角胴状をなし、使用者がテントの内部で横になって寝ることができるとともに、エアーマットや空気枕を伴い、安心した休息と睡眠を確保できる。
【図面の簡単な説明】
【００１４】
【図１】図１は緊急時休息用セットの格納状態を示す模式図である。
【図２】図２は緊急時休息用セットの使用状態を示す模式図である。
【図３】図３はテントを示し、（Ａ）は出入口を閉じた斜視図、（Ｂ）は出入口を開けた斜視図である。
【図４】図４はエアーマットを示し、（Ａ）は使用状態を示す斜視図、（Ｂ）は収納状態を示す斜視図である。
【図５】図５は空気枕を示す斜視図である。
【図６】図６はテントの折り畳み手順を示す模式図である。
【考案を実施するための形態】
【００１５】
緊急時休息用セット１００は、図１に示す如く、テント１０とエアーマット３０と空気枕４０を単一の格納手段５０に格納してなるものであり、学校、職場、駅等の避難所に配備されて用いられる。即ち、緊急時休息用セット１００は、災害等の発生時に、交通、輸送機関のまひによって帰宅できずに避難所に避難した帰宅困難者に提供され、帰宅困難者の避難所における安心した休息、睡眠のために用いられる。
【００１６】
テント１０は、図１〜図３に示す如く、ポリエステル等のプラスチックシート等からなる上面シート１１、底面シート１２、正面シート１３、背面シート１４、左側面シート１５及び右側面シート１６の各シートが、概ね直方体状をなすように縫合されたものである。
【００１７】
このとき、上面シート１１、底面シート１２、正面シート１３及び背面シート１４のそれぞれは、左右２つの相向かい合う円弧状外縁部Ｒ、Ｒを、２つの互いに平行をなす直線状外縁部Ｌ、Ｌでつないだ長円状外縁部１１Ａ〜１４Ａを有するとともに、各シート１１〜１４の相接する直線状外縁部Ｌ同士を縫い付ける等によって接合されている。
【００１８】
そして、上面シート１１、底面シート１２、正面シート１３及び背面シート１４の各シートの長円状外縁部１１Ａ〜１４Ａのそれぞれは、４本の環状の弾性ワイヤ芯２１〜２４（図２に１点鎖線で示した）のそれぞれに纏わり着けられる。各環状の弾性ワイヤ芯２１〜２４はばね材、ピアノ線等の弾発材料からなる。これにより、各シート１１〜１４はそれらの弾性ワイヤ芯２１〜２４の弾発力で平面状に突っ張り形成され、それらの４つのシート１１〜１４により横長角胴部１０Ｅを形成する。
【００１９】
更に、左側面シート１５の四角状外縁部１５Ａが各シート１１〜１４の長円状外縁部１１Ａ〜１４Ａのうちの左側の円弧状外縁部Ｒに縫い合わされる等によって取着されるとともに、右側面シート１６の四角状外縁部１６Ａが各シート１１〜１４の長円状外縁部１１Ａ〜１４Ａのうちの右側の円弧状外縁部Ｒに縫い合わされる等によって取着され、前記横長角胴部１０Ｅの左右両端部１０Ｆ、１０Ｆを閉鎖する。
【００２０】
テント１０は、横長角胴部１０Ｅの左右両端部１０Ｆ、１０Ｆにより閉鎖された空間をテント室１０Ｒとする。テント１０は、正面シート１３の一部に出入口１７Ａを設け、カバー１７により出入口１７Ａを開閉自在にしている。テント１０は、右側面シート１６の中央部に換気窓１８Ａを設け、カバー１８により換気窓１８Ａを開閉自在にしている。カバー１７、１８は、正面シート１３、右側面シート１６に設けた出入口１７Ａ、換気窓１８Ａを例えばファスナーにより開閉自在とする。
【００２１】
テント１０の格納時に、上面シート１１、底面シート１２、正面シート１３及び背面シート１４の各シートは、それらが纏わり着いた各環状の弾性ワイヤ芯２１〜２４を互いに重ね合せるように折り畳まれ（図６(i)〜(iii)）、それらの各弾性ワイヤ芯２１〜２４を他の弾性ワイヤ芯２１〜２４に重ね合せたまま折り曲げて互いに重なり合う３つの円環部（Ｄ、Ｅ、Ｆ）に折り込み（図６(iv)〜(viii)）、この折り込み状態でプラスチックシート等からなる円形状収納袋１９に収納され（図６(ix）)、前記格納手段５０に格納される。
【００２２】
即ち、テント１０の上述の折り畳み手順を示せば以下の通りである（図６(i)〜(ix)）。
(i)横長角胴部１０Ｅの１つの角Ａに位置する弾性ワイヤ芯２１〜２４を対角Ｂに位置する弾性ワイヤ芯２１〜２４に重ねるように押込む。このとき、出入口１７Ａと換気窓１８Ａのカバー１７、１８は全閉せず、半分くらい開けておくと畳み易い。
【００２３】
(ii)〜(iii)横長角胴部１０Ｅの押し込んだ角Ａの弾性ワイヤ芯２１〜２４を支点にして、出入口１７Ａが内側になるようにシート１１〜１４を折り畳む。各シート１１〜１４は互いに重なる平面状に折り畳まれる。左側面シート１５と右側面シート１６のはみ出し部分は、中に入れる。
【００２４】
(iv)〜(vi)平面状に折り畳んだシート１１〜１４が纏わり着いている弾性ワイヤ芯２１〜２４の中間部Ｃを斜め下内側の★の位置へ移動する。弾性ワイヤ芯２１〜２４の中間部Ｃが★の位置へ移動すると、２つの円環部Ｅ、Ｆが表れる。弾性ワイヤ芯２１〜２４の反発が大きいから、弾性ワイヤ芯２１〜２４の中間部Ｃの部分は特にしっかりと固定しておく。
【００２５】
(vii)〜(viii)円環部Ｅを円環部Ｄの面上に折り込んで重ね、その後円環部Ｆも折り込んで重ねる。折り込み後もしっかり押さえておく。
【００２６】
(ix)３つの円環部Ｄ、Ｅ、Ｆが折り重ね状態から開いてこないようにしっかり押さえながら、収納袋１９へ入れる。
【００２７】
エアーマット３０は、図２、図４に示す如く、テント１０の内部（テント室１０Ｒ）の底面シート１２の上に敷設されて用いられるともに、丸められた収納状態で格納手段５０に格納される。
【００２８】
エアーマット３０は、連続気泡を有するポリウレタンフォーム等のプラスチック発泡体を、ポリエステル等の気密性プラスチックシートからなる表皮シート３１で密封して構成される。エアーマット３０は、表皮シート３１の任意の位置に、表皮シート３１の内部と外部との空気の流通のための空気バルブ３２を設け、硬さの調整ができる。使用時には、空気バルブ３２を最初開放しておくことで簡単に膨らみ、使用者がその上に寝た状態で空気バルブ３２を閉じることにより、表面形状を身体にフィットした状態に保ち、空気流入量の調整によって硬さも調整でき、快適な寝心地をサポートできる。格納時には、空気バルブ３２を開いた状態にし、空気バルブ３２の反対側から空気を絞り出すように丸めていき、丸め終えたら空気バルブ３２を閉め、付属のゴムバンド３３で止めて不図示のプラスチックシート等からなる収納袋にコンパクトに収納できる。
【００２９】
空気枕４０は、図２、図５に示す如く、テント１０の内部（テント室１０Ｒ）に敷設されたエアーマット３０の上に配置されて用いられるともに、空気を抜いた収納状態で格納手段５０に格納される。
【００３０】
空気枕４０は、ポリプロピレン等のプラスチックシート又はゴムシート等からなる枕本体４１に逆止弁付空気バルブ４２を備える。使用時に、空気バルブ４２から空気を吹き入れて適度に膨らませて使用に供する。格納時には、空気バルブ４２から空気を排出した扁平状態にて格納できる。
【００３１】
格納手段５０としては、プラスチック箱、段ボール紙箱、プラスチックシート袋等を適宜採用できる。
【００３２】
本実施例によれば以下の作用効果を奏する。
(a)テント１０とエアーマット３０と空気枕４０が単一の格納手段５０に格納される。この格納時に、テント１０は、上面シート１１、底面シート１２、正面シート１３及び背面シート１４の各シート１１〜１４が纏わり着いた各環状の弾性ワイヤ芯２１〜２４を互いに重ね合せ、かつそれらの各弾性ワイヤ芯２１〜２４を他の弾性ワイヤ芯２１〜２４に重ね合せたまま折り曲げた３つの円環部Ｄ、Ｅ、Ｆの折り込み状態を維持されて収納袋１９に収納され、この収納袋１９に収納された形態での格納手段５０に格納される。また、エアーマット３０は丸められた収納状態で、空気枕４０は空気を抜いた収納状態で、格納手段５０に格納される。従って、テント１０とエアーマット３０と空気枕４０を簡単かつコンパクトに格納できる。
【００３３】
(b)使用時に、テント１０は、収納袋１９から取り出されると同時に、上面シート１１、底面シート１２、正面シート１３及び背面シート１４の各シート１１〜１４が纏わり着いた各環状の弾性ワイヤ芯２１〜２４が、自らの弾性復元力によって、３つの円環部Ｄ、Ｅ、Ｆの折り込み状態を解消するとともに、各シート１１〜１４をそれらの相接する直線状外縁部Ｌ同士が接合された状態下で平面状をなすように突っ張り形成し、収納袋１９内にあった収納状態からはじくように広がった横長角胴状に展開される。また、エアーマット３０は丸められた収納状態から広げられるとともにクッション性を帯び、空気枕４０は空気を吹き込まれ、それぞれ直ちに使用可能状態になってテント１０内に設けられる。従って、テント１０とエアーマット３０と空気枕４０の使用可能状態を簡易に構築できる。
【００３４】
(c)使用時に、テント１０は、横長角胴状をなし、使用者がテント１０の内部で横になって寝ることができるとともに、エアーマット３０や空気枕４０を伴い、安心した休息と睡眠を確保できる。
【００３５】
以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００３６】
本考案によれば、簡易かつコンパクトに格納されるとともに、簡易に使用可能状態を構築でき、帰宅困難者に安心した休息を与える緊急時休息用セットを得ることができる。
【符号の説明】
【００３７】
１０  テント
１０Ｅ  横長角胴部
１０Ｆ  左右両端部
１１  上面シート
１２  底面シート
１３  正面シート
１４  背面シート
１１Ａ〜１４Ａ  長円状外縁部
１５  左側面シート
１６  右側面シート
１７Ａ  出入口
１９  収納袋
２１〜２４  弾性ワイヤ芯
３０  エアーマット
４０  空気枕
５０  格納手段
１００  緊急時休息用セット
【図１】
0003189888.tif 000003
【図２】
0003189888.tif 000004
【図３】
0003189888.tif 000005
【図４】
0003189888.tif 000006
【図５】
0003189888.tif 000007
【図６】
0003189888.tif 000008